(57)【要約】【課題】空気圧縮機の大型化を回避しつつ、タンク圧力および吐出圧をデジタル表示する表示部の視認性を向上する【解決手段】空気圧縮機１は、圧縮空気を生成する圧縮空気生成部３と、第１圧力の圧縮空気を貯留するタンク４と、第１圧力の圧縮空気を減圧し、第２圧力の圧縮空気を生成する常圧用減圧弁７と、第２圧力の圧縮空気を吐出する常圧用カプラ９と、第１圧力の圧縮空気を減圧し、第３圧力の圧縮空気を生成する高圧用減圧弁１０と、第３圧力の圧縮空気を吐出する高圧用カプラ１２と、第１圧力、第２圧力および第３圧力を順次繰り返してデジタル表示できるデジタル表示部２５と、を有する。【選択図】図１
2020094562.tif 000002
【特許請求の範囲】
【請求項１】
圧縮空気を生成する圧縮空気生成部と、
第１圧力の圧縮空気を貯留するタンクと、
前記第１圧力の圧縮空気を減圧し、第２圧力の圧縮空気を生成する第１減圧弁と、
前記第２圧力の圧縮空気を吐出する第１取出し口と、
前記第１圧力の圧縮空気を減圧し、第３圧力の圧縮空気を生成する第２減圧弁と、
前記第３圧力の圧縮空気を吐出する第２取出し口と、
前記タンク、前記第１取出し口および前記第２取出し口からなる３箇所の部位の圧力値を順次繰り返してデジタル表示できる第１表示部と、
を有する、空気圧縮機。
【請求項２】
請求項１に記載の空気圧縮機において、
前記３箇所の部位の圧力値を、それぞれ異なる色で表示する、空気圧縮機。
【請求項３】
請求項１に記載の空気圧縮機において、
さらに、
前記第１表示部に表示された圧力値が、前記３箇所の部位のどれに対応するかを特定する第２表示部、を有する空気圧縮機。
【請求項４】
請求項３に記載の空気圧縮機において、
前記第２表示部は、
前記３箇所の各部位を表わす文字情報と、
前記３箇所の各部位に対応する３つのＬＥＤと、
を有し、
前記ＬＥＤの点灯により、前記３箇所の対象部位の内の１箇所を特定する、空気圧縮機。
【請求項５】
請求項１に記載の空気圧縮機において、
前記第１表示部は、前記第１圧力、前記第２圧力および前記第３圧力を、それぞれ、一定時間だけ表示し続ける、空気圧縮機。
【請求項６】
請求項１に記載の空気圧縮機において、
さらに、
前記第１圧力を検出する第１圧力センサと、
前記第２圧力を検出する第２圧力センサと、
前記第３圧力を検出する第３圧力センサと、
を有する空気圧縮機。
【請求項７】
請求項１に記載の空気圧縮機において、
前記第２圧力は、前記第３圧力よりも低い、空気圧縮機。
【請求項８】
請求項７に記載の空気圧縮機において、
前記第１圧力が、第１閾値よりも低い場合には、前記第１表示部に前記第１圧力のみ表示する、空気圧縮機。
【請求項９】
請求項８に記載の空気圧縮機において、
前記第１圧力が、前記第１閾値よりも高く、前記第１閾値よりも高い第２閾値よりも低い場合には、前記第１表示部に前記第１圧力および前記第２圧力を、順次繰り返し表示する、空気圧縮機。
【請求項１０】
請求項９に記載の空気圧縮機において、
前記第１圧力が、第２閾値よりも高い場合には、前記第１表示部に前記第１圧力、第２圧力および前記第３圧力を、順次繰り返し表示する、空気圧縮機。
【請求項１１】
請求項１に記載の空気圧縮機において、
前記第１取出し口に接続された空気工具の駆動による圧力降下が、第３閾値以下であれば圧力降下前の前記第２圧力を前記第１表示部に表示する、空気圧縮機。
【請求項１２】
圧縮空気を生成する圧縮空気生成部と、
第１圧力の圧縮空気を貯留するタンクと、
前記第１圧力の圧縮空気を減圧し、第２圧力の圧縮空気を生成する減圧弁と、
第２圧力の圧縮空気を吐出する取出し口と、
前記取出し口から吐出する圧縮空気の圧力を検出する圧力センサと、
前記圧力センサで検出した値をデジタル表示する表示部と、
を有し、
前記減圧弁を調整して、前記取出し口から吐出する圧縮空気の圧力を、前記第２圧力から第３圧力に変化させる場合、前記表示部には、前記第２圧力から前記第３圧力に達する推移における圧力値と、前記第３圧力に達した後の安定状態における圧力値とを表示する、空気圧縮機。
【請求項１３】
請求項１２に記載の空気圧縮機において、
前記推移における圧力値および前記安定状態における圧力値の表示は、前記第１圧力が前記第３圧力よりも高い場合に実施する、空気圧縮機。
【発明の詳細な説明】
【技術分野】
【０００１】
本発明は空気圧縮機に関するものである。
【背景技術】
【０００２】
例えば建築現場において、圧縮空気の圧力で釘やネジを木材などに打ち込む携帯型の空気工具が使用されている。屋内外で使用される携帯型の空気工具の動力源となる圧縮空気は、例えば持ち運び可能な空気圧縮機により生成される。
【０００３】
空気圧縮機は、圧縮空気生成部と、圧縮空気を貯蓄するタンクと、空気圧縮機の運転、停止をする操作パネルと、を有する。空気圧縮機は、減圧弁と、圧力計と、圧縮空気の取出し口であるカプラと、を備え、タンク内の圧縮空気は、減圧弁で適正な圧力に調整されて、カプラからエアホースを介して空気工具に供給される。空気工具は、その用途により、高圧で動作させるものと、常圧で動作させるものとがある。従って、空気圧縮機は、高圧用減圧弁、高圧用圧力計、および高圧用カプラ、ならびに、常圧用減圧弁、常圧用圧力計および常圧用カプラを備えている。また、高圧用圧力計および常圧用圧力計として、アナログ式の圧力計が用いられている。つまり、高圧用圧力計には、高圧用の吐出圧がアナログ表示され、常圧用圧力計には、常圧用の吐出圧がアナログ表示される。また、操作パネルは、空気圧縮機の運転、停止を操作する電源スイッチ、運転モードを切り替える運転モードスイッチ、および、タンクの空気圧力を表示するデジタル表示部他を備えている。
【０００４】
特開２０１６−１０２４７８号公報（特許文献１）には、デジタル表示パネル（前述のデジタル表示部）に、タンクの空気圧力と運転モード（パワーモード、省エネモードほか）とを表示する技術が開示されている。通常の運転状態では、デジタル表示パネルは、タンク内の空気圧力を表示しており、運転モード切換スイッチが操作されると、デジタル表示パネルの圧力表示を運転モード表示に切り替え、選択した運転モードを示す英文字を表示し、その後、再び圧力表示に切り替わる。
【先行技術文献】
【特許文献】
【０００５】
【特許文献１】特開２０１６−１０２４７８号公報
【発明の概要】
【発明が解決しようとする課題】
【０００６】
本願発明者の検討によれば、アナログ式の圧力計は視認性が低いという問題があるため、空気圧縮機から離れた位置で、空気工具を用いて作業している場合、アナログ表示された吐出圧を確認するのは困難である。例えば、吐出圧に異常はなく、空気工具の不具合の場合、その場で吐出圧が確認できれば、即座に、空気工具の不具合を対策できる。そこで、タンクの空気圧力だけでなく、高圧用の吐出圧および常圧用の吐出圧もデジタル表示するために、操作パネルに独立した３つのデジタル表示部を設ける検討例を考えた。しかしながら、限られたサイズ（面積）の操作パネルに、独立した３つのデジタル表示部を設けた場合、個々のデジタル表示部のサイズが小さくなり、視認性（言い換えると、表示値の判読性）が低下する。また、視認性向上のためには、個々のデジタル表示部を所定の間隔だけ離して配置する必要があるが、このことも個々のデジタル表示部のサイズが小さくなる要因である。また、個々のデジタル表示部のサイズを大きくし、かつ、独立した３つのデジタル表示部を所定の間隔だけ離して配置した場合、操作パネルのサイズが大型化し、それに伴い空気圧縮機が大型化するという問題が有る。
【０００７】
本発明の目的は、空気圧縮機の大型化を回避しつつ、タンク圧力および吐出圧を表示するデジタル表示部の視認性を向上することである。
【課題を解決するための手段】
【０００８】
本発明の空気圧縮機は、圧縮空気を生成する圧縮空気生成部と、第１圧力の圧縮空気を貯留するタンクと、第１圧力の圧縮空気を減圧し、第２圧力の圧縮空気を生成する第１減圧弁と、第２圧力の圧縮空気を吐出する第１取出し口と、第１圧力の圧縮空気を減圧し、第３圧力の圧縮空気を生成する第２減圧弁と、第３圧力の圧縮空気を吐出する第２取出し口と、タンク、第１取出し口および第２取出し口からなる３箇所の部位の圧力値を順次繰り返してデジタル表示できる第１表示部と、を有する。
【発明の効果】
【０００９】
本発明によれば、空気圧縮機の大型化を回避しつつ、吐出圧の視認性を向上させることができる。
【図面の簡単な説明】
【００１０】
【図１】本実施の形態の空気圧縮機のブロック図である。
【図２】図１に示す空気圧縮機の内部構造を示す平面図である。
【図３】図１に示す空気圧縮機の外観を示す斜視図である。
【図４】図１に示す空気圧縮機の操作パネルを示す平面図である。
【図５】図１に示す空気圧縮機の動作を示すフローチャートである。
【図６】圧力調整時の常圧取出し口における時間と圧力の関係を示すグラフである。
【図７】空気工具動作時の常圧取出し口における時間と圧力の関係を示すグラフである。
【発明を実施するための形態】
【００１１】
本実施形態に係る空気圧縮機は、特に限定されないが、例えば、圧縮空気の圧力によって釘やネジを木材などに打ち込む空気工具に圧縮空気を供給するものである。以下、本発明の空気圧縮機の実施形態の一例について説明する。
【００１２】
図１に示すように、空気圧縮機１は、外部の交流電源３１（例えば、仮設電源、家庭用電源など）から電源コード３２を介して電力の供給を受けて動作し、空気工具３３および３４に圧縮空気を供給する。空気圧縮機１は、モータ２、圧縮空気生成部３、タンク４、制御部５、タンク圧力センサ６、常圧用減圧弁７、常圧用圧力センサ８、常圧用カプラ９、高圧用減圧弁１０、高圧用圧力センサ１１、高圧用カプラ１２、および、操作パネル２０を備える。
【００１３】
制御部５は、モータ２の回転をインバータ制御するパワーデバイスおよび空気圧縮機１を総合的に制御するマイクロコンピュータ等の電子部品を備えている。制御部５には、外部から空気圧縮機１の運転操作を行うための操作パネル２０が、例えば電気ケーブルで接続されおり、操作パネル２０は、電源スイッチ２１、運転モードスイッチ２３、デジタル表示部２５および情報表示部２６等を備える。
【００１４】
交流電源３１から制御部５に電力が供給され、制御部５がモータ２を駆動する。制御部５は、モータＭに電力を供給するとともにモータ２の回転を制御する。図示しないが、圧縮空気生成部３は、クランクシャフト、ピストン、シリンダを備え、モータ２の回転運動はクランクシャフトを介してピストンの往復運動に変換される。そして、シリンダ内のピストンの往復運動によって、シリンダ内に圧縮空気を生成し、生成された圧縮空気はシリンダ内から配管を介してタンク４に送られ、タンク４内に貯留される。つまり、圧縮空気生成部３は、モータ２により駆動され、圧縮空気を生成する。タンク４には、タンク４内に貯留された圧縮空気の圧力を検出するタンク圧力センサ６が設置されており、検出された圧力値は電気信号として制御部５を介して操作パネル２０に入力される。タンク４内の圧縮空気の最高圧力は、例えば４．４ＭＰａである。最高圧力に達するとモータ２の駆動を停止する。空気工具等の使用によりタンク４内の圧力が低下すると再度モータ２が動作する。タンク４内の圧力は、例えば、４．０ＭＰa〜４．４ＭＰａの範囲に保たれる。ただし、この圧力範囲は後述する「パワーモード」および「オートモード」における一例であり、後述する「静音モード」および「省エネモード」では、この圧力範囲よりも低い圧力範囲に保たれるようにしても良い。
【００１５】
常圧用カプラ９は、圧縮空気の取出し口であり、タンク４と、常圧用カプラ９との間は、常圧用減圧弁７を介して管継手又は配管で接続されており、空気工具３３は、エアホースを介して常圧用カプラ９に接続される。常圧用減圧弁７は、常圧用カプラ９から吐出される圧縮空気の圧力を調整するために設けられている。常圧用減圧弁７には常圧用圧力センサ８が設置されており、常圧用圧力センサ８は常圧用カプラ９から吐出する圧縮空気の圧力を検出し、検出された圧力値は、電気信号として制御部５を介して操作パネル２０に入力される。つまり、操作パネル２０のデジタル表示部２５に表示される圧力値を確認しながら、常圧用カプラ９から吐出される圧縮空気の吐出圧を調整することができる。常圧用カプラ９から吐出される圧縮空気の吐出圧は、例えば、０〜０．８ＭＰａの範囲であり、タンク４に貯留された圧縮空気の圧力よりも低い。
【００１６】
高圧用カプラ１２は、圧縮空気の取出し口であり、タンク４と、高圧用カプラ１２との間は、高圧用減圧弁１０を介して管継手又は配管で接続されており、空気工具３４は、エアホースを介して高圧用カプラ１２に接続される。高圧用減圧弁１０は、高圧用カプラ１２から吐出される圧縮空気の圧力を調整するために設けられている。高圧用減圧弁１０には高圧用圧力センサ１１が設置されており、高圧用圧力センサ１１は高圧用カプラ１２から吐出する圧縮空気の圧力を検出し、検出された圧力値は、電気信号として制御部５を介して操作パネル２０に入力される。つまり、操作パネル２０のデジタル表示部２５に表示される圧力値を確認しながら、高圧用カプラ１２から吐出される圧縮空気の吐出圧を調整することができる。高圧用カプラ１２から吐出される圧縮空気の吐出圧は、例えば、０〜２．５ＭＰａの範囲であり、タンク４に貯留された圧縮空気の圧力よりも低い。また、高圧用カプラ１２から吐出される圧縮空気の吐出圧は、常圧用カプラ９から吐出される圧縮空気の吐出圧よりも高い範囲で使用される。
【００１７】
なお、タンク圧力センサ６は、タンク４と常圧用減圧弁７および高圧用減圧弁１０とを連通する管継手又は配管に設置してもよい。また、常圧用圧力センサ８は、常圧用減圧弁７と常圧用カプラ９とを連通する管継手又は配管に設置しても良く、高圧用圧力センサ１１は、高圧用減圧弁１０と高圧用カプラ１２とを連通する配管に設置してもよい。
【００１８】
図２に示すように、タンク４は、２つのタンク４ａおよび４ｂで構成されており、２つのタンク４ａとタンク４ｂとの間は、配管で連通している。２つのタンク４ａおよび４ｂの各々は、例えばアルミニウム等の金属製であり、両端部が閉塞された円筒形状を有し、その軸心が平行となるように配置されており、図示しないフレームに固定されている。そして、タンク４上には、モータ２、圧縮空気生成部３、制御部５、タンク圧力センサ６、常圧用減圧弁７、常圧用圧力センサ８、常圧用カプラ９、高圧用減圧弁１０、高圧用圧力センサ１１、高圧用カプラ１２が配置されている。
【００１９】
図３に示すように、タンク４上には樹脂性のカバー（ハウジング）３０が配置され、カバー３０は、モータ２、圧縮空気生成部３、制御部５、タンク圧力センサ６、常圧用圧力センサ８および高圧用圧力センサ１１等を覆っている。カバー３０には複数の開口および切り込みが設けられており、そこから、常圧用減圧弁７、常圧用カプラ９、高圧用減圧弁１０、高圧用カプラ１２および電源コードが取り出されている。また、カバー３０の表面（上面）には、操作パネル２０が取り付けられている。
【００２０】
図４に示すように、操作パネル２０は、電源スイッチ２１、ＬＥＤ（Light Emitting Diode：発光ダイオード）２２、運転モードスイッチ２３、ＬＥＤ２４、デジタル表示部２５および情報表示部２６を含む。さらに、情報表示部２６は、ＬＥＤ２７、２８および２９と、それらに対応する文字情報とを含む。電源スイッチ２１は、空気圧縮機１の運転、停止を切り換えるスイッチである。運転時（スイッチ：ＯＮ）にはＬＥＤ２２が点灯する。運転モードスイッチ２３は、運転モードを切り替えるためのスイッチであり、例えば、１回押す毎に運転モードが順に切り替わる。運転モードは、例えば、「パワーモード」、「オートモード」、「静音モード」および「省エネモード」があり、空気工具３３および３４による作業内容または作業環境などによって適切なモードを選択できる。また、選択したモードは、ＬＥＤ２４の消灯、発光色（赤、緑、黄）で区別される。
【００２１】
デジタル表示部２５は、７セグメントＬＥＤディスプレイで構成され２桁の数字をデジタル表示できる。また、デジタル表示部２５は、９、１４、１６セグメントＬＥＤディスプレイまたはマトリックスＬＥＤディスプレイで構成することも出来る。デジタル表示部２５には、次の３箇所の部位の圧力（圧力値）を表示することができる。つまり、タンク４内の圧縮空気の圧力（以下、「タンク圧Ｐｔ」と称す）、常圧取出し口（常圧用カプラ９）の圧縮空気の圧力（以下、「吐出圧Ｐｎ」と称す）および高圧取出し口（高圧用カプラ１２）の圧縮空気の圧力（以下、「吐出圧Ｐｈ」と称す）である。タンク圧Ｐｔ、吐出圧Ｐｎおよび吐出圧Ｐｈは、１つのデジタル表示部２５に順次繰り返し表示される。さらに、情報表示部２６は、デジタル表示部２５に表示された圧力値の対象部位（対象箇所）を１箇所に特定する。文字情報である「タンク内圧」、「常圧取出し口」および「高圧取出し口」とそれらの横に配置されたＬＥＤ２７，２８および２９の点灯により、デジタル表示部２５に表示された圧力値の対象部位（対象箇所）を特定することができる。つまり、タンク圧Ｐｔ、吐出圧Ｐｎおよび吐出圧Ｐｈの対象部位は、それぞれ、「タンク内圧」、「常圧取出し口」および「高圧取出し口」であり、ＬＥＤ２７、２８および２９は、それぞれ、タンク圧Ｐｔ、吐出圧Ｐｎおよび吐出圧Ｐｈに対応している。因みに、図４では、情報表示部２６において、「タンク内圧」に対応するＬＥＤ２７が点灯しており、デジタル表示部２５の数値が４．４であることから、タンク圧Ｐｔが４．４ＭＰａであることを示している。吐出圧Ｐｎおよび吐出圧Ｐｈも、タンク圧Ｐｔと同様の方法で表示される。
【００２２】
なお、変形例として、デジタル表示部２５の圧力値を異なる色で表示することで対象部位の特定をしてもよい。その場合には、情報表示部２６のＬＥＤ２７，２８および２９を省略できる。さらに、文字情報も省略してもよい。例えば、「タンク内圧」、「常圧取出し口」および「高圧取出し口」の圧力値を、それぞれ、「赤色」、「緑色」および「黄色」で表示するが、配色の組合せは、これに限定されない。
【００２３】
図５は、図１に示す空気圧縮機の動作を示すフローチャート、図６は、圧力調整時の常圧取出し口における時間と圧力の関係を示すグラフ、図７は、空気工具動作時の常圧取出し口における時間と圧力の関係を示すグラフである。
【００２４】
図５においては、常圧用圧力センサ８を圧力センサ８、高圧用圧力センサ１１を圧力センサ１１と表記し、タンク圧Ｐｔ、吐出圧Ｐｎおよび吐出圧Ｐｈを、Ｐｔ、ＰｎおよびＰｈと表記している。Ｓ１３，Ｓ１５，Ｓ１６，Ｓ１９，Ｓ２１，Ｓ２３およびＳ２４は、図４のデジタル表示部２５の表示対象を示している。また、ＹはＹｅｓ、ＮはＮｏを意味する。
【００２５】
＜空気圧縮機の立ち上げ時＞
まず、空気圧縮機１の電源投入後であって、「圧力センサ８または１１が圧力変化を感知」（Ｓ１１）がＮの場合を説明する。つまり、Ｓ１３、Ｓ１５およびＳ１６は、常圧用減圧弁８および高圧用減圧弁１０が操作されず、かつ、空気工具３３および３４も操作されていない状態におけるデジタル表示部２５の表示対象を表わす。電源投入すると、タンク圧Ｐｔは徐々に上昇し、最高圧力（例えば、４．４ＭＰａ）に達する。常圧用減圧弁８および高圧用減圧弁１０が閉じていれば、吐出圧ＰｎおよびＰｈはゼロであるが、常圧用減圧弁８および高圧用減圧弁１０が完全に開いていれば、タンク圧Ｐｔの上昇に伴い、吐出圧Ｐｎは最大値（例えば、０．８ＭＰａ）まで、吐出圧Ｐｈは最大値（例えば、２．５ＭＰａ）まで上昇して一定となる。ここで特徴的な点は、タンク圧Ｐｔの上昇過程で、タンク圧Ｐｔが閾値Ｐ１またはＰ２に達しているかどうかでデジタル表示部２５の表示対象を変える。タンク圧Ｐｔが低い段階で空気工具３３および３４（図１参照）を使用しても本来の性能が出せないからである。閾値Ｐ１は、例えば、常圧用カプラ９の吐出圧の最大値（例えば、０．８ＭＰａ）であり、閾値Ｐ２は、例えば、高圧用カプラ１１の吐出圧の最大値（例えば、２．５ＭＰａ）とする。
【００２６】
「Ｐｔ≧閾値Ｐ１」（Ｓ１２）がＮの場合、デジタル表示部２５に「タンク圧Ｐｔ」（Ｓ１３）の検出値のみを表示する。つまり、「常圧取出し口」および「高圧取出し口」が使用不可（準備中）であることを示している。なお、図４の情報表示部２６のＬＥＤ２７がデジタル表示部２５の表示対象に対応して点灯し、タンク圧Ｐｔの対象部位が「タンク内圧」に対応することを示す。
【００２７】
「Ｐｔ≧閾値Ｐ１」がＹで「Ｐｔ≧閾値Ｐ２」がＮの場合、デジタル表示部２５に「タンク圧Ｐｔおよび吐出圧Ｐｎ」（Ｓ１５）の検出値を順次繰り返し表示する。つまり、「常圧取出し口」は使用可、「高圧取出し口」は使用不可（準備中）であることを示している。なお、図４の情報表示部２６のＬＥＤ２７および２８がデジタル表示部２５の表示対象に対応して順に点灯し、「タンク圧Ｐｔ」が「タンク内圧」に対応し、「吐出圧Ｐｎ」が「常圧取出し口」に対応することを示す。
【００２８】
そして、「Ｐｔ≧閾値Ｐ１」および「Ｐｔ≧閾値Ｐ２」がＹの場合、デジタル表示部２５に「タンク圧Ｐｔ、吐出圧Ｐｎ、吐出圧Ｐｈ」（Ｓ１６）の検出値を順次繰り返し表示する。つまり、「常圧取出し口」および「高圧取出し口」が使用可であることを示している。もちろん、図４の情報表示部２６のＬＥＤ２７、２８および２９がデジタル表示部２５の表示対象に対応して順に点灯し、「タンク圧Ｐｔ」が「タンク内圧」に対応し、「吐出圧Ｐｎ」が「常圧取出し口」に対応し、「吐出圧Ｐｈ」が「高圧取出し口」に対応することを示す。
【００２９】
なお、「タンク圧Ｐｔ、吐出圧Ｐｎ、吐出圧Ｐｈ」（Ｓ１６）のように、複数の検出値を順次繰り返し表示する場合、各検出値を一定時間（例えば、５〜１０秒）表示することで、検出値の読み取りを容易に出来る。「タンク圧Ｐｔおよび吐出圧Ｐｎ」（Ｓ１５）の場合も同様に、各検出値を一定時間（例えば、５〜１０秒）表示する。
【００３０】
＜吐出圧の調整時＞
次に、「圧力センサ８または１１が圧力変化を感知」（Ｓ１１）および「単位時間当たりの圧力変化≦閾値Ｐ３」（Ｓ１７）がＹの場合を説明する。閾値（閾値圧力）Ｐ３は、空気工具３３または３４の駆動による吐出圧ＰｎまたはＰｈの圧力降下である。つまり、Ｓ１９、Ｓ２１、Ｓ２３およびＳ２４は、空気工具３３および３４が使用されていない状態で、常圧用減圧弁７または高圧用減圧弁１０が操作され、吐出圧ＰｎまたはＰｈの調整がされている場合におけるデジタル表示部２５の表示対象を表わす。
【００３１】
「Ｐｔ≧閾値Ｐ１」（Ｓ１８）がＮの場合、デジタル表示部２５に「タンク圧Ｐｔ」（Ｓ１９）の検出値のみを表示する。つまり、吐出圧ＰｎおよびＰｈの調整は、未だ出来ないことを意味している。デジタル表示部２５に、吐出圧ＰｎおよびＰｈを表示しないのは、吐出圧ＰｎまたはＰｈの圧力変化が、常圧用減圧弁７または高圧用減圧弁１０の操作によるものか、タンク圧Ｐｔの変化によるものかを区別できないからである。
【００３２】
「Ｐｔ≧閾値Ｐ１」（Ｓ１８）がＹで、「感知したのは圧力センサ１１？」（Ｓ２０）がＮの場合、デジタル表示部２５に「吐出圧Ｐｎ」（Ｓ２１）の検出値を表示する。常圧用圧力センサ８に圧力変化があり、吐出圧Ｐｎが調整可能な状態となっているからである。デジタル表示部２５に表示される吐出圧Ｐｎを確認しながら常圧用減圧弁７を操作して、吐出圧Ｐｎを所望の値に調整する。図６は、吐出圧Ｐｎが、初期値Ｐｎ１から設定値Ｐｎ２へ変化する様子を示している。デジタル表示部２５の表示期間は、吐出圧Ｐｎの「推移」と「安定状態」とを含む。「推移」とは、吐出圧Ｐｎが初期値Ｐｎ１から設定値Ｐｎ２まで圧力変化であり、「安定状態」とは、一定時間、設定値Ｐｎ２の圧力が安定している状態である。「安定状態」の一定時間は、例えば、１〜２秒程度とする。デジタル表示部２５には、「推移」における圧力値と「安定状態」における圧力値の両者をデジタル表示する。「安定状態」を表示することにより、吐出圧Ｐｎの調整が完了したことを確認することができる。
【００３３】
「Ｐｔ≧閾値Ｐ１」（Ｓ１８）および「感知したのは圧力センサ１１？」（Ｓ２０）がＹで、「Ｐｔ≧閾値Ｐ２」（Ｓ２２）がＮの場合、デジタル表示部２５には、「タンク圧Ｐｔおよび吐出圧Ｐｎ」（Ｓ２３）の検出値を順次繰り返し表示する。つまり、吐出圧Ｐｎは調整可能であるが、吐出圧Ｐｈの調整は、未だ出来ないことを示している。
【００３４】
「Ｐｔ≧閾値Ｐ１」（Ｓ１８）、「感知したのは圧力センサ１１？」（Ｓ２０）および「Ｐｔ≧閾値Ｐ２」（Ｓ２２）がＹの場合、デジタル表示部２５に「吐出圧Ｐｈ」（Ｓ２４）の検出値を表示する。高圧用圧力センサ１１に圧力変化があり、吐出圧Ｐｈが調整可能な状態となっているからである。デジタル表示部２５に表示される吐出圧Ｐｈを確認しながら高圧用減圧弁１０を操作して、吐出圧Ｐｈを所望の値に調整する。デジタル表示部２５には、Ｓ２１の場合と同様に、「推移」と「安定状態」とを連続的に表示する。
【００３５】
なお、デジタル表示部２５の表示方法および図４の情報表示部２６の表示方法等は、上記＜空気圧縮機の立ち上げ時＞と同様である。
【００３６】
＜空気工具使用時＞
図５において、「単位時間当たりの圧力変化≦閾値Ｐ３」（Ｓ１７）がＮの場合が、空気工具３３または３４の使用時を表わしている。Ｓ１３、Ｓ１５またはＳ１６は、空気工具３３または３４の使用時におけるデジタル表示部２５の表示対象を表わす。空気工具３３および３４の使用時Ｓ１２〜Ｓ１６は、上記＜空気圧縮機の立ち上げ時＞で説明したのと同様であり、異なる部分のみ説明する。具体的には、Ｓ１５およびＳ１６における吐出圧ＰｎおよびＰｈの表示方法が異なる。ここでは、吐出圧Ｐｎを用いて説明するが、吐出圧Ｐｈも同様である。
【００３７】
図７において、破線（ａ）は、空気工具３３を駆動させた場合の吐出圧Ｐｎの変化を示している。空気工具３３を使用する前の吐出圧Ｐｎが設定値Ｐｎ３である場合、空気工具３３の駆動（例えば、釘やネジの打込み）の度に、吐出圧Ｐｎが（Ｐｎ３−Ｐ４）までパルス状に降下する。圧力Ｐ４は、空気工具３３の駆動による吐出圧Ｐｎの圧力降下であり、たとえば、０．１ＭＰａ程度である。圧力Ｐ４は、前述の閾値Ｐ３とほぼ等しい値となる。また、１パルスあたりの時間は、０．５ｓｅｃである。破線（ａ）の特性を有する吐出圧Ｐｎをデジタル表示部２５に表示すると、表示に「ちらつき」が発生し、数値の視認性が低下する。従って、本実施の形態では、吐出圧Ｐｎに圧力Ｐ４の降下が発生したとしても、単位時間当たりの圧力変化が閾値Ｐ５以下の関係が成立する場合には、デジタル表示部２５に設定値Ｐｎ３を表示し続ける。こうして、表示のちらつきを防止することができる。ここで、閾値Ｐ５は、圧力４および閾値Ｐ３よりも僅かに高い値であり、例えば、０．２ＭＰａ程度である。
【００３８】
＜本実施の形態による効果＞
本実施の形態の空気圧縮機１は、操作パネル２０に設けられた１つのデジタル表示部２５に３つの部位の圧力（タンク圧Ｐｔ、吐出圧Ｐｎおよび吐出圧Ｐｈ）を順次繰り返してデジタル表示することができる。
【００３９】
タンク圧Ｐｔ、吐出圧Ｐｎおよび吐出圧Ｐｈの圧力値をデジタル表示するため、アナログ式の圧力計に比べ、タンク圧Ｐｔ、吐出圧ＰｎおよびＰｈの視認性が向上する。
【００４０】
また、１つのデジタル表示部２５に３つの部位の圧力を表示するため、操作パネルに独立に３つのデジタル表示部を設ける検討例に比べ、操作パネル２０のサイズを拡大することなく、デジタル表示部２５のサイズを拡大できる。従って、デジタル表示部２５の視認性が向上する。また、操作パネル２０のサイズ拡大による空気圧縮機１の大型化を回避できる。
【００４１】
情報表示部２６の３箇所の対象部位を表わす文字情報と、３箇所の対象部位に対応する３つのＬＥＤとで、デジタル表示部２５に表示された圧力がどの対象部位に対応するかを特定することができる。また、デジタル表示部２５の圧力値を異なる色で表示することで対象部位の特定をすることができる。その場合、情報表示部２６のＬＥＤ２７，２８および２９を省略でき、デジタル表示部２５のサイズを拡大することができ、圧力値の視認性をより向上できる。また、情報表示部２６の文字情報も省略することができ、デジタル表示部２５のサイズをより拡大することができる。
【００４２】
タンク圧Ｐｔ、吐出圧Ｐｎおよび吐出圧Ｐｈの圧力値を、タンク圧力センサ６、常圧用圧力センサ８および高圧用圧力センサ１１で検出するため、アナログ式の圧力計に比べ、空気圧縮機１の小型化、および低コスト化を実現できる。
【００４３】
タンク圧Ｐｔの上昇時には、使用可能な取出し口に対応する吐出圧を表示させ、準備中の取出し口に対応する吐出圧は表示させないため、空気工具３３および３４の適切な使用が可能となる。
【００４４】
空気工具３３および３４の使用時において、吐出圧力ＰｎまたはＰｈの単位時間当たりの圧力変化が所定の閾値Ｐ５以下であれば、吐出圧ＰｎまたはＰｈの設定値をデジタル表示部２５に表示する為、デジタル表示部２５の表示のちらつきを防止できる。
【００４５】
吐出圧ＰｎまたはＰｈの調整において、吐出圧Ｐｎが、初期値Ｐｎ１から設定値Ｐｎ２まで変化する様子をデジタル表示するため、精度の高い調整が可能となる。また、吐出圧ＰｎまたはＰｈの「推移」および「安定状態」における圧力値を連続的に表示するため、吐出圧ＰｎまたはＰｈの調整が完了したことを確認できる。
【００４６】
なお、本実施の形態は、タンク圧Ｐｔ、吐出圧Ｐｎ、吐出圧Ｐｈを順次繰り返し表示する例を用いて説明したが、「タンク圧Ｐｔおよび吐出圧Ｐｎ」または「タンク圧Ｐｔおよび吐出圧Ｐｈ」を繰り返し表示する場合にも適用できる。また、表示の順は、タンク圧Ｐｔ、吐出圧Ｐｎ、吐出圧Ｐｈの順に限定されるものではない。
【符号の説明】
【００４７】
１…空気圧縮機、２…モータ（電動モータ）、３…圧縮空気生成部、４、４ａ、４ｂ…タンク、５…制御部、６…タンク圧力センサ（圧力センサ）、７…常圧用減圧弁（減圧弁）、８…常圧用圧力センサ（圧力センサ）、９…常圧用カプラ（取出し口）、１０…高圧用減圧弁（減圧弁）、１１…高圧用圧力センサ（圧力センサ）、１２…高圧用カプラ（取出し口）、２０…操作パネル、２１…電源スイッチ、２２、２４、２７〜２９…ＬＥＤ、２３…運転モードスイッチ、２５…デジタル表示部（第１表示部、表示部）、２６…情報表示部（第２表示部）、３０…カバー（ハウジング）、３１…交流電源、３２…電源コード、３３、３４…空気工具
【図１】
2020094562.tif 000003
【図２】
2020094562.tif 000004
【図３】
2020094562.tif 000005
【図４】
2020094562.tif 000006
【図５】
2020094562.tif 000007
【図６】
2020094562.tif 000008
【図７】
2020094562.tif 000009